(57)【要約】  【課題】  本考案は、１個の階段チェストを右上り階段状に、また、左上り階段状に自由に変換せしめて使用することが出来る、非常に便利で使い勝手のよい階段チェストを提供するものである。  【解決手段】  横断面略正方形状の引出し５・６を備えた所要数のケ−ス部４が階段状に形成されてなるチェスト本体２ａ・２ｂ・２ｃ・２ｄと、該チェスト本体２ａ・２ｂ・２ｃ・２ｄを構成する底板８ａ・８ｂと非階段がわ側板９ａ・９ｂとの外面に各々係着自在とされた台座１２ａ・１２ｂとよりなり、上記台座１２ａ・１２ｂを適宜底板８ａ・８ｂと側板９ａ・９ｂの一方に係着せしめ、該台座１２ａ・１２ｂをベ−スとしてチェスト本体２ａ・２ｂ・２ｃ・２ｄを右上り階段状と左上り階段状とに各々変換せしめるべく構成されている。  【選択図】      図１
0003111515.tif 000002
【実用新案登録請求の範囲】
【請求項１】
横断面略正方形状の引出しを備えた所要数のケ−ス部が階段状に形成されてなるチェスト本体と、該チェスト本体を構成する底板と非階段がわ側板との外面に各々係着自在とされた台座とよりなり、上記台座を適宜底板と側板の一方に係着せしめ、該台座をベ−スとしてチェスト本体を右上り階段状と左上り階段状とに各々変換せしめるべく構成されてなることを特徴とする、階段チェスト。
【請求項２】
底板及び側板の外面と台座の一面とにはその一方に係止溝が形成されると共に、該係止溝に係止せしめるべく他方に係止凸条が形成されてなることを特徴とする、請求項１記載の階段チェスト。
【考案の詳細な説明】
【技術分野】
【０００１】
本考案は、階段チェストに関し、さらに詳細には、必要に応じて適宜右上り階段状や左上がり階段状に変換して使用することが出来る、階段チェストに関する。
【背景技術】
【０００２】
従来より、書類や小物等を収納せしめるものとしてチェストが広く知られている。そして、特に和洋を問わず部屋のスペ−スをスッキリ演出するものとして右上り階段状や左上り階段状の階段チェストが各々別個独立に形成され、使用されている。
ところで、上記右上り階段状のチェストとしては、細長な方形台状の台座上に棚口の異なる所要数のケ−ス部を右上り階段状に形成せしめたチェスト本体が取付けられると共に
、各ケ−ス部には各々対応する形状の引出しが引出し自在に設けられている。また、左上り階段状のチェストは、台座上に棚口の異なる所要数のケ−ス部を左上り階段状に形成せしめたチエスト本体が取付けられると共に、各ケ−ス部に対応する形状の引出しが引出し自在に設けられている。そして、上述の如く構成された右上り階段状の階段チェスト及び左上り階段状の階段チェストは、各々部屋の載置スペ−スや演出効果等を考慮して適宜所要の階段チェストを採択使用するものとされている。
【非特許文献１】毎日インタ−ネットショッピング；民芸階段チェスト；（平成１７年３月１日検索）、インタ−ネット〈ＵＲＬ；ｈｔｔｐ：//ｍａｉｎｉｃｈｉ−ｄｐ．ｃｏ．ｊｐ／ｍｉｎｇｅｉ＿ｃｈｅｓｔ．ｈｔｍ〉
【考案の開示】
【考案が解決しようとする課題】
【０００３】
ところで、上述の如く構成された右上り階段状の階段チェストは、台座上に右上り階段状のチェスト本体が取付けられると共に、棚口の異なる各ケ−ス部に各々対応する引出しが引出し自在に設けられたものであるから、常に右上り階段チェストとしてのみしか使用することが出来ず、左上り階段チェストとしては決して使用することが出来ないものである。また、同様に、左上り階段チェストも常に左上り階段チェストとしてのみしか使用出来ず、決して右上り階段チェストとしては使用することが出来ないものである。このように、従来の階段チェストは、右上り階段チェストは右上り階段チェストとして、また、左上り階段チェストは左上り階段チェストとしてのみしか使用することが出来ないため、非常に不便であり、極めて使い勝手の悪いものとなっていた。
【０００４】
本考案は従来の問題点を解決しようとするもので、１個の階段チェストを右上り階段状に、また、左上り階段状に自由に変換せしめて使用することが出来る、非常に便利で使い勝手のよい階段チェストを提供するにある。
【課題を解決するための手段】
【０００５】
上記の目的を達成するため、請求項１記載の考案は、横断面略正方形状の引出しを備えた所要数のケ−ス部が階段状に形成されてなるチェスト本体と、該チェスト本体を構成する底板と非階段がわ側板との外面に各々係着自在とされた台座とよりなり、上記台座を適宜底板と側板の一方に係着せしめ、該台座をベ−スとしてチェスト本体を右上り階段状と左上り階段状とに各々変換せしめるべく構成されてなることを特徴とする、階段チェストを要旨とするものである。
【０００６】
上記請求項１記載の階段チェストにおいて、底板及び側板の外面と台座の一面とにはその一方に係止溝が形成されると共に、該係止溝に係止せしめるべく他方に係止凸条が形成されている。
【考案の効果】
【０００７】
本考案は上述のように構成されているから、台座を適宜底板と側板の一方に係着せしめ
、該係着台座をベ−スとしてチェスト本体を右上り階段状、または、左上り階段状とに各々変換せしめることが出来るものであって、ひいては、一個の階段チェストでもって右上り階段チェストとして、また、左上り階段チェストとして自由に使用することが出来、従来例に比して非常に便利で使い勝手がよいものである。
【考案を実施するための最良の形態】
【０００８】
以下に、本考案を実施するための最良の形態を図面に示す一実施例に基づいて説明する
。
【０００９】
図１〜図７は本考案の第１実施例を示すもので、同図中、１ａは三段状とされた階段チェスト、２ａは該階段チェスト１ａを構成するチェスト本体で、該チェスト本体２ａは棚口３が略正方形状とされた所要数のケ−ス部４を三段状に形成せしめることにより構成されている。５は上記各ケ−ス部４に棚口３を介して引出し自在に設けられた横断面略正方形状の引出し、６は該引出し５と同形状に形成された隠し引出し７付き引出しである。８ａ・９ｂは前記チェスト本体２ａを構成する板状の底板と非階段がわ側板、１０・１１は該底板８ａと側板９ａの長手方向に沿ってその外面に形成された所要条の係止溝、１２ａはチェスト本体２ａを載置支持せしめるべく所要の長さと幅を備えた台座で、該台座１２ａの上面には前記係止溝１０・１１に各々係合して係着せしめるべく所要条の係止凸条１３が形成されている。
【００１０】
上述の如く構成された階段チェスト１ａは、右上り階段チェストや左上り階段チェストに適宜変換せしめて使用に供する。
即ち、右上り階段チェストとして使用する場合には、図１〜図３に図示するように、係止溝１０に係止凸条１３を係合せしめつつ、台座１２ａを底板８ａの下面に係着せしめ、該係着台座１２ａをベ−スとしてチェスト本体２ａを右上り階段状に変換せしめる。このさい、側板９ａの外面には係止溝１１が顕現するも、凹条に形成されているため、意匠的効果を奏し、外観を損うおそれはないものである。  
【００１１】
逆に、右上り階段状の階段チェスト１ａを左上り階段状に変換せしめる場合には、図７に図示するように、係止溝１０と係止凸条１３との係着を解除せしめ、台座１２ａを底板８ａより取外したのち、側板９ａの外面に係止溝１１・係止凸条１３を介して係着せしめる。次いで、チェスト本体２ａを回転せしめつつ台座１２ａを床面に接地せしめ、チェスト本体２ａを左上り階段状に変換せしめる。しかるのち、各ケ−ス部４より引出し５・６を引抜き、正常状態に差換える。このさい、各引出し５・６は横断面略正方形状とされると共に、同相似形状の棚口３を有するケ−ス部４に引出し自在に設けられているから、チェスト本体２ａを右上り階段状や左上り階段状に変換せしめた場合においても適宜引抜いて差換えることが出来るものであって、引出し５・６としての機能や意匠感を損うおそれは全くないものである。また、側板９ａに台座１２ａを係着せしめるため、起立する底板８ａの外面には係止溝１０が顕現するも、凹条に形成されているため意匠的効果を奏し
、外観を損うおそれはないものである。
【００１２】
図８は本考案の第２実施例を示す階段チェスト１ｂで、チェスト本体２ｂが５個のケ−ス部４により二段状に形成されると共に、段上に正方形状の飾り棚１４が形成されてなる点が上記第１実施例と相違し、他の部分は同一であり、同一符号は同一部分を示す。
【００１３】
そして、上述の如く構成された第２実施例は、第１実施例と同様に、台座１２ａを適宜底板８ａおよび側板９ａの一方に係止溝１０・１１・係止凸条１３を介して係着せしめる
。しかるのち、該台座１２ａをベ−スとしてチェスト本体２ｂを右上り階段状と左上り階段状とに各々変換せしめると共に、引出し５・６を各々差換え、右上り階段チェストとして、また、左上り階段チェストとして使用するものである。
【００１４】
図９は本考案の第３実施例を示す階段チェスト１ｃで、底板８ｂと側板９ｂと台座１２ｂとが各々短尺状に形成されると共に、チェスト本体２ｃが３個のケ−ス部４により二段状に形成された点が前記第１実施例と相違し、他の部分は同一であり、同一符号は同一部分を示す。                                    
【００１５】
そして、上述の如く構成された第３実施例は、第１実施例と同様に、台座１２ｂを適宜底板８ｂと側板９ｂの一方に係止溝１０・１１・係止凸条１３を介して係着せしめる。しかるのち、係着せしめた台座１２ｂをベ−スとしてチェスト本体１２ｃを右上り階段状や左上り階段状に適宜変換せしめると共に、引出し５・６を差換え、右上り階段チェストとして、また、左上り階段チェストとして使用するものである。
【００１６】
図１０は本考案の第４実施例を示す階段チェスト１ｄで、底板８ｂ及び台座１２ｂが短尺状に形成されると共に、側板９ａが長尺状に形成され、かつ、チェスト本体２ｄが４個のケ−ス部４により二段状に形成された点が前記第１実施例と相違し、他の部分は同一であり、同一符号は同一部分を示す。
【００１７】
そして、上述の如く構成された第４実施例は、第１実施例と同様に、台座１２ｂを適宜底板８ｂと側板９ａの一方に係止溝１０・１１・係止凸条１３を介して係着せしめる。しかるのち、係着せしめた台座１２ｂをベ−スとしてチェスト本体２ｄを右上り階段状や左上り階段状に適宜変換せしめると共に、引出し５・６を差換え、右上り階段チェストとして、また、左上り階段チェストとして使用するものである。
【００１８】
なお、上記第１〜第４実施例において、チェスト本体１２ａ・１２ｂ・１２ｃ・１２ｄは６個〜３個のケ−ス部４により三段状や二段状に形成されているが、これに限定されるものでなく、ケ−ス部４の個数を増加せしめて多段状に形成せしめてもよいものである。また、底板８ａ・８ｂ及び側板９ａ・９ｂと台座１２ａ・１２ｂとの係着手段として、底板８ａ・８ｂ・側板９ａ・９ｂには係止溝１０・１１が形成されると共に、台座１２ａ・１２ｂに係止凸条１３が形成されているが、これに限定されるものでなく、逆に、底板８ａ・８ｂ・側板９ａ・９ｂに係止凸条を形成すると共に、台座１２ａ・１２ｂに係止溝を形成せしめてもよく、また、必要に応じてこれらの係着手段に類した他の公知の係着手段を採択使用することが出来るものである。
【図面の簡単な説明】
【００１９】
【図１】本考案の第１実施例を示す斜視図である。
【図２】本考案の第１実施例を示す側面図である。
【図３】図２のＡ−Ａ線に沿う断面図である。
【図４】第１実施例の引出し５を示す斜視図である。
【図５】第１実施例の引出し６を示す斜視図である。
【図６】第１実施例の台座１２ａを示す斜視図である。
【図７】第１実施例を右上り階段状と左上り階段状とに各々変換せしめた状態を示す正面図である。
【図８】本考案の第２実施例を示す正面図である。
【図９】本考案の第３実施例を示す正面図である。
【図１０】本考案の第４実施例を示す正面図である。
【符号の説明】
【００２０】
１ａ・１ｂ・１ｃ・１ｄ    階段チェスト
２ａ・２ｂ・２ｃ・２ｄ    チェスト本体
４    ケ−ス部
５    引出し
６    引出し
８ａ・８ｂ    底板
９ａ・９ｂ    側板
１０  係止溝
１１  係止溝
１２ａ・１２ｂ  台座
１３  係止凸条
【図１】
0003111515.tif 000003
【図２】
0003111515.tif 000004
【図３】
0003111515.tif 000005
【図４】
0003111515.tif 000006
【図５】
0003111515.tif 000007
【図６】
0003111515.tif 000008
【図７】
0003111515.tif 000009
【図８】
0003111515.tif 000010
【図９】
0003111515.tif 000011
【図１０】
0003111515.tif 000012